(57)【要約】【課題】正確に外気温度を検出し、使用者の利用快適性を損なうことのない空気調和機を提供すること。【解決手段】圧縮機８・室外熱交換器１０・室外ファン１２・四方弁９・電動膨張弁１５を少なくとも有する室外機２と、室内熱交換器３・室内ファン４を少なくとも有する室内機１とを接続してなる空気調和機において、室外熱交換器１０の吸い込み側側面に位置し外気温度を検出する外気温度検出手段１１と、室外熱交換器１０の温度を検出する室外熱交換器温度検出手段１４とを備え、圧縮機８停止が停止してから外気温度と熱交換器温度との温度差が設定値になるまで、室外ファン１２を運転させる。【選択図】図１
2011252641.tif 000002
【特許請求の範囲】
【請求項１】
圧縮機・室外熱交換器・室外ファン・四方弁・電動膨張弁を少なくとも有する室外機と、室内熱交換器・室内ファンを少なくとも有する室内機とを接続してなる空気調和機において、前記室外熱交換器の吸い込み側側面に位置し外気温度を検出する外気温度検出手段と、前記室外熱交換器の温度を検出する室外熱交換器温度検出手段とを備え、前記圧縮機停止が停止してから外気温度と熱交換器温度との温度差が設定値になるまで、前記室外ファンを運転させることを特徴とする空気調和機。
【発明の詳細な説明】
【技術分野】
【０００１】
本発明は、運転停止中において、外気温度を把握する機能を備えた空気調和機に関するものである。
【背景技術】
【０００２】
従来、室外機の吸込部に取り付けられたサーミスタからなる温度センサにより外気温度を検知しており、運転開始してから、ある一定時間後に外気温度の検出を行なっている（例えば、特許文献１参照）。
【先行技術文献】
【特許文献】
【０００３】
【特許文献１】特開平１１−１５９８４３号公報
【発明の概要】
【発明が解決しようとする課題】
【０００４】
しかしながら、上記外気温度を検知する温度センサは、室外機の吸込側において室外熱交換器にホルダーを使用して取り付けている場合が多い。そのため、この取付位置では、運転停止後に一定時間室外ファンが動作している時は、外気温度を正確に把握できるが、例えば、空気調和機が暖房運転を行いサーモオフなどで圧縮機が停止し、室外ファンも停止した後の室内機の凝縮温度が高い時などは、冷凍サイクルが均圧する時に室外熱交換器温度が上がり、外気温度センサが熱交換器の輻射熱を検出し、そのため実際の外気温度よりも高い温度を検知してしまうことになる。
【０００５】
従って運転の停止中においても外気温度を室内側で表示している場合には、誤った室外温度の表示をして利用快適性が低下するという問題があった。また、圧縮機停止後、または室外ファン停止後に室外温度を更新しない様にすると、実際に外気温度が上昇した時に誤った室外温度の表示をして利用快適性が低下するという問題があった。
【０００６】
本発明は、前記従来の課題を解決するもので、正確に外気温度を検出し、使用者の利用快適性を損なうことのない空気調和機を提供することを目的とする。
【課題を解決するための手段】
【０００７】
上記課題を解決するため、本発明の空気調和機は、圧縮機・室外熱交換器・室外ファン・四方弁・電動膨張弁を少なくとも有する室外機と、室内熱交換器・室内ファンを少なくとも有する室内機とを接続してなる空気調和機において、室外熱交換器の吸い込み側側面に位置し外気温度を検出する外気温度検出手段と、室外熱交換器の温度を検出する室外熱交換器温度検出手段とを備え、圧縮機停止が停止してから外気温度と熱交換器温度との温度差が設定値になるまで、室外ファンを運転させることを特徴とするものである。
【発明の効果】
【０００８】
本発明の空気調和機は、正確な外気温度を検出することが出来る。
【図面の簡単な説明】
【０００９】
【図１】本発明の実施の形態１における空気調和機の冷媒回路の回路図
【図２】同実施の形態１における動作を説明するフローチャート
【発明を実施するための形態】
【００１０】
第１の発明は、圧縮機・室外熱交換器・室外ファン・四方弁・電動膨張弁を少なくとも有する室外機と、室内熱交換器・室内ファンを少なくとも有する室内機とを接続してなる空気調和機において、室外熱交換器の吸い込み側側面に位置し外気温度を検出する外気温度検出手段と、室外熱交換器の温度を検出する室外熱交換器温度検出手段とを備え、圧縮機停止が停止してから外気温度と熱交換器温度との温度差が設定値になるまで、室外ファンを運転させることで、圧縮機停止後に冷媒の状態により熱交換器の温度が上昇したときは室外ファンを駆動させ正確な外気温度を検出することが出来る。
【００１１】
また、例えば日射により室外温度センサの周囲に熱がこもって、高い温度を検出した場合も、熱交温度との温度差により室外ファンを駆動させ正確な外気温度を検出することが出来る。これらより、外気温度を室内側で表示している場合には、圧縮機の運転にかかわらず室外温度の表示をして利用快適性を向上させる事が可能となる。
【００１２】
以下、本発明の実施の形態について、図面を参照しながら説明する。なお、この実施の形態によって本発明が限定されるものではない。
【００１３】
（実施の形態１）
図１はこの発明の実施の形態１における空気調和機の冷媒回路の回路図である。図１に示すように、圧縮機８と、四方弁９と、室外熱交換器１０と、電動膨張弁１５と、室内熱交換器３とを環状に冷媒配管で接続して冷媒回路を形成している。そして、圧縮機８・四方弁９・室外熱交換器１０・電動膨張弁１５は室外機２内に配置し、室内熱交換器３は室内機１に配置している。本実施の形態の空気調和機は、室内機１と室外機２とを互いに冷媒回路を形成している冷媒配管で接続して構成されている。
【００１４】
また、この空気調和機は、室内熱交換器３の近傍に配置された室内ファン４と、室内ファン４を駆動させるファンモータ５、室温を検出する室内温度センサ６、これらを検出、制御を行う室内制御装置７を室内機１の内部に有している。
【００１５】
また、室外熱交換器１０へ送風する室外ファン１２、室外気温を検出する外気温度検出手段１１、室外熱交換器１０の温度を検出する室外熱交換器温度検出手段１４、圧縮機８・電動膨張弁１５・四方弁９を制御する室外制御装置１３を室外機２の内部に有している。そして、室内制御装置７と室外制御装置１３により空気調和機は制御される。
【００１６】
次に、図２のフローチャートに従って、空気調和機の実施例を説明する。
【００１７】
まず、空気調和機に圧縮機停止要求の処理がスタートすると、圧縮機８が停止しているかを判断し、圧縮機８が停止した場合、外気温度検出手段１１である室外温度センサにより検出された初期値Ｔｄ０を室外制御装置１３に記憶し、同様に室外熱交換器温度検出手段１４である熱交換器温度センサにより検出された初期値Ｔｃ０を室外制御装置１３に記憶する。
【００１８】
そして、室外ファン１２が停止しているかを判断し、室外ファン１２が停止した場合、外気温度検出手段１１により検出されたＴｄ１を室外制御装置１３に記憶し、同様に室外熱交換器温度検出手段１４により検出されたＴｃ１を室外制御装置１３に記憶する。
【００１９】
また、室内機の凝縮温度が高い時などは、冷凍サイクルが均圧する時に室外熱交換器温度が上がった状態、すなわち室外温度Ｔｄ１と熱交換器温度Ｔｃ１の温度差が設定値α１より大きくなった場合か、圧縮機停止後に外気温度が上がった状態、すなわち室外温度Ｔｄ１が初期値Ｔｄ０より設定値β１より大きくなった場合か、直射日光により輻射熱の影響が出る状態、すなわち熱交換器温度Ｔｃ１が初期値Ｔｃ０より設定値γ１より大きくな
った場合のいずれかが成立した場合は、室外ファン１２を駆動し、空気を循環させることで正確な外気温度を把握する。
【００２０】
そして、室外温度Ｔｄ１と熱交換器温度Ｔｃ１の温度差が設定値α２より小さくなった場合か、室外温度Ｔｄ１が初期値Ｔｄ０より設定値β２より小さくなった場合か、熱交換器温度Ｔｃ１が初期値Ｔｃ０より設定値γ２より小さくなった場合すべてが成立したときに、室外ファン１２を停止し、その時の、室外温度Ｔｄ１と熱交換器温度Ｔｃ１を室外温度初期値Ｔｄ０と熱交換器温度初期値Ｔｃ０に置き換える。
【００２１】
なお、実施例として室外温度Ｔｄ１と熱交換器温度Ｔｃ１の温度差が設定値α１より大きくなった場合か、室外温度Ｔｄ１が初期値Ｔｄ０より設定値β１より大きくなった場合か、熱交換器温度Ｔｃ１が初期値Ｔｃ０より設定値γ１より大きくなった場合のいずれかが成立としたが、室外温度Ｔｄ１と熱交換器温度Ｔｃ１の温度差が設定値α１より大きくなった場合のみの判断でも同等の効果を得ることが出来る。
【００２２】
以上のように、本実施の形態では外気温度を正確に検出することができるので、正確に外気温度を検出し、使用者の利用快適性を損なうことのない空気調和機を提供することができる。
【産業上の利用可能性】
【００２３】
以上のように本発明にかかる空気調和装置は室外機で制御を行うことができるので、家庭用マルチエアコン、ヒートポンプ式温水給湯、ビル用マルチエアコン等の用途にも適用できる。
【符号の説明】
【００２４】
１  室内機
２  室外機
３  室内熱交換器
４  室内ファン
５  ファンモータ
６  室内温度センサ
７  室内制御装置
８  圧縮機
９  四方弁
１０  室外熱交換器
１１  外気温度検出手段
１２  室外ファン
１３  室外制御装置
１４  室外熱交換器温度検出手段
１５  電動膨張弁
【図１】
2011252641.tif 000003
【図２】
2011252641.tif 000004